(57)【要約】【課題】様々な形状の法面に対応可能としながら、容易に擁壁築造工事を行えるようにする。【解決手段】底面１ｂ及び上面１ｃに対し前面１ａが直角とされ、幅方向に複数配置されるとともに下側の擁壁ブロックの上面に底面１ｂを重ねて縦方向に積み上げられ、前面１ａが略面一となって擁壁を形成するコンクリート製の擁壁ブロック１Ａにおいて、底面１ｂと前面１ａ下端側に形成した面取り面１ｄとの境界線上の所定位置に、先端が尖った針先状の係止爪７０，７０が下向きに突設されており、下側の擁壁ブロックの上に重ねて載置する際に、係止爪７０が下側の擁壁ブロックの前面上端側に形成された面取り面上端側に係止することにより、係止位置から奥側にずれ動かずに上下の前面面一状態を確保することを特徴とするものとした。【選択図】図１
2010101116.tif 000002
【特許請求の範囲】
【請求項１】
底面及び上面に対し前面が直角とされ、幅方向に複数配置されるとともに下側の擁壁ブロックの上面に前記底面を重ねて縦方向に積み上げられ、前記前面同士が略面一となって擁壁を形成するコンクリート製の擁壁ブロックにおいて、
前記底面と前記前面又は該前面下端側に形成された面取り面との境界線上の所定位置に、先端が尖った針先状の係止爪が下向きに突設されており、底面及び上面に対し前面が直角とされ上面奥側が下向きに傾斜した状態で載置された前記下側の擁壁ブロックの上に重ねて載置する際に、前記係止爪が前記下側の擁壁ブロックの前面上端側又は前面上端側に形成された面取り面上端側に係止することにより、係止位置から奥側にずれ動かずに上下の前面面一状態を確保する、ことを特徴とした擁壁ブロック。
【請求項２】
前記係止爪は、前記境界線上で該境界線の中間位置を跨いで少なくとも２カ所以上に設けられている、ことを特徴とする請求項１に記載した擁壁ブロック。
【請求項３】
前記係止爪は、先端部が円錐状又は角錐状に形成された金属製線材により構成され、該金属製線材の前記先端部以外の部分がコンクリート内に埋設されている、ことを特徴とする請求項１または２に記載した擁壁ブロック。
【請求項４】
前記係止爪を構成する金属製線材は、前記先端部付近で所定角度に屈曲されており、前記コンクリート内に埋設された部分の大部分が奥側に傾斜した状態とされている、ことを特徴とする請求項３に記載した擁壁ブロック。
【発明の詳細な説明】
【技術分野】
【０００１】
本発明は、擁壁築造工事に用いられる擁壁ブロックに関し、殊に、法面に擁壁を築造するのに適した擁壁ブロックに関する。
【背景技術】
【０００２】
盛土や切土を行なうことで形成された土面を保護するために、その表面を覆うように擁壁ブロックを積み上げて擁壁を築造することが従来から行われている。この擁壁築造工事においては、保護対象である土面が傾斜した法面（勾配面）となっている場合には、例えば実開平５−７１２４０号公報に記載されているように、前面が底面に対する直角線から所定角度傾斜しており底面を水平にして積み上げられるものであって、複数の前面で形成される擁壁表面が法面に沿った傾斜面を形成するものとした擁壁ブロックが使用されることが多い。
【０００３】
しかし、このように底面に対する前面傾斜角が一定角度に決められた擁壁ブロックを底面が水平になるように積み上げる場合、鉛直を含む様々な傾斜角の法面に対応することができない。一方、法面の傾斜角に応じた前面傾斜角を有する擁壁ブロックを複数種類揃える場合は在庫負担も含めて製造コスト、施工コストの高騰に繋がってしまう。
【０００４】
これに対し、例えば特開平８−１２０６９２号公報には、図７に示すように底面及び上面に対し前面が直角に形成された擁壁ブロック１Ｄを、法面３０に直角で上面奥側が下向きに傾斜した基礎２０の上に、法面３０に対して平行に複数積み上げるようにして擁壁表面を形成させる施工方法が記載されている。この場合、左右端面が奥行き方向内側に傾斜したものと外側に傾斜したものとの２種類のブロックを組み合わせることにより、築造する擁壁が所定の曲率でカーブして上端の幅と下端の幅が異なるような場合であっても、隣り合う擁壁ブロック同士の配置位置を僅かにずらせば容易に対応することができる。
【０００５】
斯かる工法においては、前面傾斜角が底面に対し直角の擁壁ブロック１Ｄのみを使用して、鉛直の場合を含む様々な傾斜角の法面に対応することができる。この場合、擁壁ブロックを積み上げる際には、図７に示すように図示しない吊り下げ機等で運搬して前面がやや前方に突出した状態で一旦下側の擁壁ブロックの上に置き、これを作業員が重力を利用しながら少しずつ摺動させて前面が面一になるように調整し、その後、胴込コンクリート６０を充填して上下左右の擁壁ブロック１Ｄ同士を固定することが行われる。
【０００６】
しかしながら、上面が傾斜した状態で既に配置された擁壁ブロッ１Ｄ上に重量の大きな擁壁ブロック１Ｄを置いた後、これを作業員が奥行き方向にずらす作業においては、前面が面一になる位置で擁壁ブロック１Ｄを正確に停止させることが容易なことではない。また、法面３０の傾斜角が強い場合には、積み上がった後で擁壁ブロック１Ｄが重力により自然に奥側にずれ動くこともある。従って、擁壁ブロック１Ｄを予定位置に停止させる目的で、裏側に裏込栗石５０を積み上げる等、一段積む毎に仮止め処置を講じる必要が生じるため、施工に手間と時間を要することになる。
【０００７】
この問題に対し、特開２０００―５４４０７号公報には、前面が底面に対し直角であるとともに側壁を有した擁壁ブロックとし、その側壁上端面が上に載せる擁壁ブロック底面に設けた凸条と係合するものとされ、且つ、上下の擁壁ブロック同士を固定する係合手段であるジョイントピンを挿通する複数個の挿通孔を穿設したものが記載されている。
【０００８】
このようにジョイントピン等の係合手段を設けることで、積み上げられた上下の擁壁ブロックにおいて前後左右のずれが生じにくいものとなる。しかしながら、上下の擁壁ブロックが噛み合う構成のものにおいては、上述した特開平８−１２０６９２号公報に記載の擁壁ブロックとは異なり、所定の曲率でカーブする擁壁を築造する場合には対応しにくいものとなり、殊に、湾曲を形成させる配置によりジョイントピンと挿通孔との位置関係がずれることで、これらが挿通・係合されずに前後方向の固定力が全く発揮できないものとなりやすい。
【０００９】
一方、擁壁ブロック同士の上下の位置関係を固定しておく係合手段の作用は、法面と擁壁ブロックとの間に裏込栗石等の充填物が充填されたり胴込コンクリートが固まったりするまでの所定期間だけ発揮されれば充分であり、工事終了後も長期間に亘って発揮されるような強力な固定力は必要とされない。
【００１０】
これに対し、複数個の挿通孔を設けることに加えジョイントピンを上下に挿通させる作業を経た後で強力な固定力を発揮する上述したタイプのもの擁壁ブロックは、製造コストや施工コストの無駄が大きいと言わざるを得ない。さらに、ジョイントピンを挿設した後は、擁壁ブロックを一旦重ねてから奥行き方向に摺動させて位置決めする作業が極めて困難となってしまう。
【特許文献１】特開平８−１２０６９２号公報
【特許文献２】特開２０００―５４４０７号公報
【発明の開示】
【発明が解決しようとする課題】
【００１１】
本発明は、上記のような問題点を解決しようとするものであり、様々な形状の法面に対応可能としながら、容易に擁壁築造工事を行えるようにすることを課題とする。
【課題を解決するための手段】
【００１２】
そこで、本発明は、底面及び上面に対し前面が直角とされ、幅方向に複数配置されるとともに下側の擁壁ブロックの上面に底面を重ねて縦方向に積み上げられ、前面同士が略面一となって擁壁を形成するコンクリート製の擁壁ブロックにおいて、底面と前面又は前面下端側に形成された面取り面との境界線上の所定位置に、先端が尖った針先状の係止爪が下向きに突設されており、底面及び上面に対し前面が直角とされ上面奥側が下向きに傾斜した状態で載置された下側の擁壁ブロックの上に重ねて載置する際に、その係止爪が下側の擁壁ブロックの前面上端側又は前面上端側に形成された面取り面上端側に係止することにより、載置した擁壁ブロックが係止位置から奥側にずれ動かずに上下の前面面一状態を確保する、ことを特徴とするものとした。
【００１３】
このように、擁壁ブロックの前面側と底面との境界線上に針先状の係止爪を突設したことにより、例えば奥側が下向きに傾斜して載置された下側の擁壁ブロック上に前面が少し突出した状態で重ねた後、重力を利用しながらこれを奥側にずらすことで係止爪が下側の擁壁ブロックの前面上端側に係止して、ほぼ前面面一になる位置で停止するため、擁壁ブロック載置時の位置決め作業が極めて容易なものとなり、且つ、止め木を配置したり裏込栗石を積み上げたりする等の仮止め処置を施す必要もなく、胴込コンクリート等で擁壁ブロック同士の位置が固定されるまでの間は必要最低限の係止力・固定力を発揮するものとなる。
【００１４】
また、この場合、その係止爪は底面と前面又は前面下端側面取り面との境界線上でその中間位置を跨いで少なくとも２カ所以上に設けられたものとすれば、２点で係止することにより熟練技術を要することなく、上下の前面面一状態を一層容易に確保できるものとなる。
【００１５】
さらに、上述した擁壁ブロックにおいて、その係止爪は、先端部が円錐状又は角錐状に形成された金属製線材により構成され、その金属製線材の先端部以外の部分がコンクリート内に埋設されていることを特徴としたものとすれば、擁壁ブロックの製造に際し過剰な手間や多くの工程の追加を要することがなく、且つ、突設させた係止爪が堅固に固定されて脱落しにくいものとなり、その係止機能を確実に発揮しやすいものとなる。
【００１６】
この場合、その係止爪を構成する金属製線材は、先端部付近で所定角度に屈曲されており、コンクリート内に埋設された部分の大部分が奥側に傾斜した状態で配置されていることを特徴としたものとすれば、底面と前面との間に形成された面取り面の幅が小さかったり面取り面がなかったりするような場合であっても、係止爪が先端部を突出させた状態で堅固に固定されやすいものとなる。
【発明の効果】
【００１７】
擁壁ブロックの前面側と底面との境界線上に針先状の係止爪を下向きに突設させた本発明によると、様々な状況の法面に対応可能としながら容易に擁壁築造工事が行えるものである。
【発明を実施するための最良の形態】
【００１８】
以下に、図面を参照しながら本発明を実施するための最良の形態を説明する。
【００１９】
図１（Ａ）は、本実施の形態の擁壁ブロック１Ａの正面図を示しており、（Ｂ）はその側面図を示している。この擁壁ブロック１Ａの基本的な構成は、図７に示した擁壁ブロック１Ｄと同様のコンクリート製ブロックであり、底面１ｂと上面１ｃが平行で、前面１ａがこれらの面に対し直角とされた略直方体のブロックである。
【００２０】
この擁壁ブロック１Ａは、鉛直線に対し所定角度傾斜した法面３０に対し、前面１ａが平行になるように積み上げられて複数の前面１ａが略面一となり擁壁を形成するタイプのものである。また、前面１ａと底面１ｂ及び上面１ｃとの間に面取り面１ｄ，１ｅが形成され、また、前面１ａと両側面との間にも面取り面１ｆ，１ｇが形成されている。
【００２１】
そして、本実施の形態の擁壁ブロック１Ａは、底面１ｂと前面１ａ下端側の面取り面１ｄとの境界線上の２カ所に、先端が尖った針先状の係止爪７０，７０が下向きに突出して設けられており、上面１ｃ奥側が下向きに傾斜した状態で先に載置された他の擁壁ブロック１Ａの上に重ねて載置する際に、その係止爪７０，７０が下側の擁壁ブロック１Ａの前面１ａ上端側に形成された面取り面１ｅ上端側に引っ掛かって係止することにより、載置した擁壁ブロック１Ａがその係止位置から奥側にずれ動くのを停止させ、上下の前面１ａ，１ａの面一状態を確保させるようになっている点を特徴としている。
【００２２】
図１（Ｂ）円内の部分拡大図を参照して、係止爪７０，７０は、各々先端が尖った線状部７ａとその基端側に配置された皿状部７ｂからなる釘状部材７がその先端部以外の部分をコンクリート内に埋設され、その円錐状の先端部が下向きに突出して露出してなるものである。尚、この係止爪７０，７０のサイズは、擁壁ブロック１Ａが幅７５０ｍｍ程度の標準サイズの場合は、線状部７ａの径を２〜４ｍｍとし、突出している部分の長さを２〜４ｍｍとすることが、係止力と施工の容易さの両立の観点から推奨される。
【００２３】
次に、本実施の形態の擁壁ブロック１Ａを用いた擁壁の築造方法について、以下に図２〜図５を用いながら詳細に説明する。  
【００２４】
図２を参照して、法面３０に対して上面が直角とされた基礎２０の上に、複数の擁壁ブロック１Ａを重ねて法面３０と平行に積み上げていくこと自体は、図７に示した従来例と同様である。また、既に載置された擁壁ブロック１Ａの上に吊り下げ機械等を用いながら前面１ａがやや突出した状態で一旦積んで、その後、作業員がこれを奥側にずらして位置決めする手順も同様である。
【００２５】
図３を参照して、しかし、本実施の形態の擁壁ブロック１Ａにおいては、その下面１ｂと前面１ａ下端側に形成された面取り面１ｄとの境界線上に係止爪７０，７０が突出して設けられている点で従来例と異なっており、この係止爪７０，７０が下側の擁壁ブロック１Ａの前面１ａに形成された面取り面１ｅ上端側に係止することにより、積み上げた擁壁ブロック１Ａがその位置から奥側にずれ動かなくなることを特徴としている。尚、基礎２０上に直接載置された最下段の擁壁ブロック１Ａは、その係止爪７０，７０が基礎２０上面を形成するコンクリートに食い込んで、その位置で係止されたものとなっている。
【００２６】
そして、上下の前面１ａ，１ａが面一になる位置に載置した擁壁ブロック１Ａが下側の擁壁ブロック１Ａ上で固定されるものであり、極めて簡易な手順で位置決め作業が完了する。この場合、図７に記載したように、載置の際及び胴込コンクリート６０等が固まるまでの間に、積んだ擁壁ブロック１ａがずれ動かないようするための仮止め手段としての裏込栗石５０等を一段積む度に積み上げるような手間が不要となる。  
【００２７】
図３円内の拡大した部分縦断面図を参照して、本実施の形態の場合は、下側の擁壁ブロック１Ａの前面１ａ上端側に面取り面１ｅが形成されていることから、上の擁壁ブロック１Ａを奥側にずらす際に、係止爪７０，７０は両前面１ａ，１ａが面一となる直前でその尖った先端が傾斜した面取り面１ｅの傾斜した表面に接する。
【００２８】
そして、両前面１ａ，１ａが面一となる位置で係止爪７０，７０の先端が面取り面１ｅ内にやや食い込んだ状態となって停止する。この場合、係止爪７０，７０が左右両側に配置されているため、２カ所で係止することにより上下擁壁ブロック１Ａ，１Ａの前面１ａ，１ａが、一層確実に面一に揃いやすいものとなる。  
【００２９】
従って、本実施の形態の擁壁ブロック１Ａを擁壁築造に用いた場合には、施工の手間が大きく軽減されることに加え、熟練者でなくとも精度高く面一の擁壁を築造することができるようになる。また、本実施の形態の擁壁ブロック１Ａは、従来の擁壁ブロック１Ｄに釘状部材７，７を先端部が突出するように埋設するだけで作成することができるため、製造上の過大なコストアップを要しない。
【００３０】
図４は、本実施の形態の擁壁ブロック１Ａを用いた擁壁の築造方法の応用例について説明するための正面図である。本説明においては、擁壁ブロック１Ａに加えて、擁壁ブロック１Ａよりも幅広の擁壁ブロック１Ｂを組み合わせて擁壁を築造する場合を説明する。  
【００３１】
この築造方法の場合、擁壁ブロック１Ａに組み合わせる擁壁ブロック１Ｂには係止爪７０は設けなくともよく、図４（Ａ）の正面図に示すように、擁壁ブロック１Ｂの両側に位置する擁壁ブロック１Ａ，１Ａを先に載置しておくことで、擁壁ブロック１Ｂを含む各前面を容易に面一にすることができる。
【００３２】
即ち、図４（Ｂ）の平面図に示すように、擁壁ブロック１Ａの左右両端面は奥行き方向外側に傾斜した構成とされ、これに対し擁壁ブロック１Ｂの左右両端面は奥行き方向内側に傾斜しており、図４（Ｃ）の平面図に示すように、既に各係止爪７０で下側の擁壁ブロックに係止して固定された擁壁ブロック１Ａ，１Ａの左右端面が後から載置する擁壁ブロック１Ｂの左右両端面に接して、擁壁ブロック１Ｂがそれ以上奥側にずれないように係止するからである。
【００３３】
また、このように左右両端面が互いに逆向きに傾斜した組み合わせ式の擁壁ブロックの場合は、図５（Ａ）の平面図に示すように、互いの傾斜した端面が接した状態で相互にずらすことにより、これら複数の擁壁ブロック１Ａ，１Ｂの組み合わせで形成される横幅の長短を調整することができ、さらに、図５（Ｂ）に示すように水平方向に所定曲率でカーブさせることもできるため、垂直な湾曲面及から勾配のある湾曲面の場合にも容易に対応できるものとなる。
【００３４】
尚、形成する擁壁の湾曲の度合いによっては、係止爪７０が下側の擁壁ブロックの上面に載る位置になることがある。この場合は、上の擁壁ブロック１Ａの重量により係止爪７０が下の擁壁ブロックの上面コンクリート内に食い込んだ状態で係止作用を発揮するものとなる。
【００３５】
図６は、前述した実施の形態の擁壁ブロックの応用例を示すものであり、擁壁ブロック１Ｃの前面１ｊと、底面１ｋとの間の面取り面１ｌの幅が極めて小さい場合や、面取り面がない場合において、係止爪８０を堅固な状態でコンクリートに固定して突設させる手段について説明するためのものである。
【００３６】
図６（Ａ）の正面図及び（Ｂ）の平面図に示すように、ブロック本体部が前後方向に薄いタイプのものでは、通常前面１ｊの周囲に形成した面取り面１ｌの幅が小さいか、或いは面取り面がないものが多い。この場合、図６（Ｃ）円内の拡大した部分縦断面図に示すように、係止爪８０を構成する釘状部材８を、その線状部８ａの先端部付近で所定角度に屈曲させたものとし、皿状部８ｂを含むコンクリート内に埋設された部分の殆どが奥側に傾斜した状態として配置することにより、係止爪８０が充分に堅固な状態で固定されやすいものとなる。尚、面取り面がない場合は、係止爪８０の先端は下側の擁壁ブロック前面上端側には食い込まず、その円錐状の側面が当接して係止することになる。
【００３７】
以上、述べたように、擁壁ブロックについて、本発明により様々な形状の法面に対応可能としながら、容易に擁壁築造工事が行えるようになった。
【図面の簡単な説明】
【００３８】
【図１】（Ａ）は本発明における実施の形態である擁壁ブロックの正面図、（Ｂ）は、（Ａ）の側面図（一部部分拡大図）。
【図２】図１の擁壁ブロックを用いた擁壁の築造方法を説明するための縦断面図。
【図３】図１の擁壁ブロックを用いた擁壁の築造方法を説明するための縦断面図（一部拡大した部分縦断面図）。
【図４】（Ａ）は図１の擁壁ブロックを用いた擁壁の築造方法の応用例を説明するための正面図、（Ｂ），（Ｃ）は（Ａ）の平面図（一部省略）。
【図５】（Ａ），（Ｂ）は図１の擁壁ブロックを用いた擁壁の築造方法の応用例を説明するための平面図。
【図６】（Ａ）は図１の擁壁ブロックの応用例を示す正面図、（Ｂ）は（Ａ）の平面図、（Ｃ）は（Ａ）の側面図。
【図７】従来例による擁壁築造方法を説明するための縦断面図。
【符号の説明】
【００３９】
１Ａ，１Ｃ  擁壁ブロック、１ａ，１ｊ  前面、１ｂ，１ｋ  底面、１ｃ  上面、１ｄ，１ｅ，１ｆ，１ｇ，１ｌ  面取り面、７，８  釘状部材、７ａ，８ａ  線状部、３０  法面、５０  裏込栗石、６０  胴込コンクリート、７０，８０  係止爪
【図１】
2010101116.tif 000003
【図２】
2010101116.tif 000004
【図３】
2010101116.tif 000005
【図４】
2010101116.tif 000006
【図５】
2010101116.tif 000007
【図６】
2010101116.tif 000008
【図７】
2010101116.tif 000009